(57)【要約】【課題】エレベータ乗場の表示装置の表示を、点検中であることを示す表示に切り替える際に、エレベータ乗場でエレベータ待ちをしている利用者に不都合が生じないように処理を行うエレベータ制御装置を提供する。【解決手段】実施形態によれば、建物内の各階床に設置された乗場ボタンおよび乗場表示装置に接続されたエレベータ制御装置は、乗場呼び登録部と表示制御部とを備える。乗場呼び登録部は、乗場ボタンのいずれかが操作されると、当該乗場ボタンの操作階情報を含む乗場呼びを登録する。表示制御部は、エレベータの乗りかごに設置された点検表示スイッチが操作されたことを検知すると、乗場呼び登録部に既に登録されている乗場呼びの操作階の乗場表示装置には乗りかごの運行状況情報を表示させ、他階の乗場表示装置には、「点検中」のテキスト文字を表示させる。【選択図】図１
2015044650.tif 000002
【特許請求の範囲】
【請求項１】
エレベータが設置された建物内の各階床の乗場ボタンおよび乗場表示装置に接続されたエレベータ制御装置において、
前記乗場ボタンのいずれかが操作されると、当該乗場ボタンの操作階情報を含む乗場呼びを登録する乗場呼び登録部と、
前記エレベータの乗りかごに設置された点検表示スイッチが操作されたことを検知すると、前記乗場呼び登録部に既に登録されている乗場呼びの操作階以外の階の乗場表示装置に、「点検中」のテキスト文字を表示させる表示制御部と
を備えることを特徴とするエレベータ制御装置。
【請求項２】
前記表示制御部は、前記乗りかごが前記乗場呼びの操作階に着床し戸開したことを検知すると、当該操作階の乗場表示装置に「点検中」のテキスト文字を表示させるように切り替える
ことを特徴とする請求項１に記載のエレベータ制御装置。
【発明の詳細な説明】
【技術分野】
【０００１】
本発明の実施形態は、エレベータ制御装置に関する。
【背景技術】
【０００２】
従来、エレベータの点検作業中には当該エレベータを利用できないことを利用者に知らせるため、作業員が各階のエレベータ乗場に「点検中」の札を設置していた。
【０００３】
この作業の手間を軽減させるため、エレベータに設置された所定のスイッチ（点検表示スイッチ）が操作されたことを検知すると、各階のエレベータ乗場の表示装置に「点検中」のテキスト文字を表示させるシステムがある。
【先行技術文献】
【特許文献】
【０００４】
【特許文献１】特開平９−１６５１５４号公報
【発明の概要】
【発明が解決しようとする課題】
【０００５】
上述したシステムによりエレベータ乗場の表示装置に「点検中」のテキスト文字を表示させる際は、エレベータの運転状況にかかわらず、点検表示スイッチが操作されると自動的に表示が切り替わる。そのため、利用者により乗場ボタンが操作された後、これに応答して乗りかごが到着する前に点検表示スイッチが操作されると、当該乗場ボタン操作による呼びに応答する運転は続行されるものの、表示装置の表示が「点検中」のテキスト文字に切り替わってしまい、エレベータ待ちをしている利用者に不都合が生じる場合があるという問題があった。
【０００６】
本発明は上記事情に鑑みてなされたものであり、エレベータ乗場の表示装置の表示を、点検中であることを示す表示に切り替える際に、エレベータ乗場でエレベータ待ちをしている利用者に不都合が生じないように処理を行うエレベータ制御装置を提供することを目的とする。
【課題を解決するための手段】
【０００７】
上記目的を達成するための実施形態によれば、建物内の各階床に設置された乗場ボタンおよび乗場表示装置に接続されたエレベータ制御装置は、乗場呼び登録部と表示制御部とを備える。乗場呼び登録部は、乗場ボタンのいずれかが操作されると、当該操作が行われた階床情報を含む乗場呼びを登録する。表示制御部は、エレベータの乗りかごに設置された点検表示スイッチが操作されたことを検知すると、乗場呼び登録部に既に登録されている乗場呼びに含まれる階床情報に対応する乗場表示装置には、乗りかごの運行状況情報を表示させ、他階の乗場表示装置には、「点検中」のテキスト文字を表示させる。
【図面の簡単な説明】
【０００８】
【図１】一実施形態によるエレベータ制御装置を利用したエレベータシステムの構成を示す全体図。
【図２】一実施形態によるエレベータ制御装置の構成を示すブロック図。
【図３】一実施形態によるエレベータ制御装置の動作を示すフローチャート。
【発明を実施するための形態】
【０００９】
〈一実施形態によるエレベータ制御装置を利用したエレベータシステムの構成〉
本発明の一実施形態によるエレベータ制御装置を利用したエレベータシステム１の構成について、図１を参照して説明する。
【００１０】
本実施形態によるエレベータシステム１は３階建ての建物内のエレベータを管理するものであり、１階の乗場２−１に設置された乗場プレート２１−１と、２階の乗場２−２に設置された乗場プレート２１−２と、３階の乗場２−３に設置された乗場プレート２１−３と、乗りかご３と、各乗場プレート２１−１〜２１−３にケーブル４を介して接続されるとともに乗りかご３にケーブル５を介して接続されたエレベータ制御装置６とを備える。
【００１１】
１階の乗場プレート２１−１は、乗場表示装置２２−１と、利用者が乗りかご３を呼び寄せる操作を行うための上方向乗場呼びボタン２３−１ａとを有する。２階の乗場プレート２１−２は、乗場表示装置２２−２と、上方向乗場呼びボタン２３−２ａと、下方向乗場呼びボタン２３−２ｂとを有する。３階の乗場プレート２１−３は、乗場表示装置２２−３と、下方向乗場呼びボタン２３−３ｂとを有する。
【００１２】
乗りかご３は、利用者が行き先階を指定する操作を行うためのかご内呼びボタン３１と、かご内表示装置３２と、かご内スイッチボックス３３とを有する。かご内スイッチボックス３３内には、各乗場２−１〜２−３の乗場表示装置２２−１〜２２−３に「点検中」のテキスト文字を表示させるための点検表示スイッチ３４を有する。
【００１３】
エレベータ制御装置６は、かご内操作情報取得部６１と、乗場呼び登録部６２と、運転制御部６３と、表示制御部６４とを有する。
【００１４】
かご内操作情報取得部６１は、乗りかご３内のかご内呼びボタン３１やかご内スイッチボックス３３内のスイッチの操作情報を取得する。
【００１５】
乗場呼び登録部６２は、乗場呼びボタン２３−１ａ、２３−２ａ、２３−２ｂ、２３−３ｂのいずれかが操作されると、当該操作が行われた階床情報を含む乗場呼びを登録する。
【００１６】
運転制御部６３は、乗場呼びボタン２３−１ａ、２３−２ａ、２３−２ｂ、２３−３ｂや、かご内呼びボタン３１の操作内容に基づいて当該エレベータの運転内容を決定し、乗りかご３の昇降制御を行う。
【００１７】
表示制御部６４は、乗場表示装置２２−１〜２２−３、かご内表示装置３２の表示内容を制御し、乗りかご３内に設置された点検表示スイッチ３４が操作されたことを検知すると、乗場呼び登録部６２に既に登録されている乗場呼びの操作階の乗場表示装置には、乗りかご３の運行状況情報の表示を継続させ、他階の乗場表示装置には、「点検中」のテキスト文字を表示させる。その後、乗りかご３が当該乗場呼びの操作階に着床し戸開したことを検知すると、当該乗場呼びの操作階の乗場表示装置に「点検中」のテキスト文字を表示させるように切り替える。
【００１８】
〈一実施形態によるエレベータ制御装置を利用したエレベータシステムの動作〉
次に、本実施形態によるエレベータシステムの動作について説明する。
【００１９】
まず、エレベータの保守点検作業員により点検作業の開始にあたり、乗りかご３のかご内スイッチボックス３３内の点検表示スイッチ３４が操作される。
【００２０】
点検表示スイッチ３４が操作されたときのエレベータ制御装置６で実行される処理について、図３のフローチャートを参照して説明する。
【００２１】
エレベータ制御装置６の運転制御部６３により通常運転が実行されている状態で（Ｓ１）作業員により点検表示スイッチ３４がＯＮに操作されると（Ｓ２の「YES」）、以降の呼びを登録しないように設定される（Ｓ３）。また、表示制御部６４で当該点検表示スイッチ３４の操作が検知され、乗場呼び登録部６２に既に登録されている乗場呼びがあるか否かが判定される（Ｓ４）。
【００２２】
ここでは、１階の上方向乗場呼びボタン２３−１ａが操作されたことにより、「１階から上方向への乗場呼び」の情報が既に乗場呼び登録部６２に登録されており（Ｓ４の「YES」）、当該情報が表示制御部６４で取得されたものとする。
【００２３】
表示制御部６４では、登録されている乗場呼びの操作階「１階」の乗場表示装置２２−１には乗りかご３の運行状況情報（例えば、乗りかご３の現在位置情報「３階」や、運転方向「下矢印」など）の表示を継続させ、他階の乗場表示装置２２−１、２２−３には、「点検中」のテキスト文字を表示させるように切り替えられる（Ｓ５）。
【００２４】
その後、運転制御部６３により当該乗場呼び「１階から上方向への乗場呼び」に応答した運転が行われ、乗りかご３が１階に移動される。
【００２５】
乗場呼びの操作階「１階」に乗りかご３が着床して戸開すると、表示制御部６４によりこれが検知され、１階の乗場表示装置２２−１においても「点検中」のテキスト文字が表示されるように切り替えられる（Ｓ６）。
【００２６】
そして、かご内呼びボタン３１で指定された行き先階に乗りかご３が着床され戸開されると、かご内呼び登録に応答した運転が完了したと判断され（Ｓ７の「YES」）、エレベータが点検作業開始可能状態となる（Ｓ８）。
【００２７】
またステップＳ４において、乗場呼び登録部６２に既に登録されている乗場呼びがないと判定されたときには（Ｓ４の「NO」）、表示制御部６４により、各階の乗場表示装置２２−１、２２−２、および２２−３に「点検中」のテキスト文字が表示されるように切り替えられ（Ｓ９）、かご内呼び登録に応答した運転が完了したと判断されるとエレベータが点検作業開始可能状態となる（Ｓ７、Ｓ８）。
【００２８】
点検作業開始状態は、点検表示スイッチ３４がＯＦＦに操作されるまで継続され（Ｓ１０の「NO」）、ＯＦＦに操作されると（Ｓ１０の「YES」）、ステップＳ１の通常運転に戻る。
【００２９】
以上の本実施形態によれば、作業員により、乗場表示装置に「点検中」のテキスト文字を表示させるためのスイッチが操作されたときに、既に登録された乗場呼びがある場合にはこれに応答してから当該乗場の表示装置に「点検中」のテキスト文字を表示させるため、乗場で呼び登録操作をした利用者に不都合が乗じないように、表示内容の切り替えを行うことができる。
【００３０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３１】
１…エレベータシステム
２−１〜２−３…乗場
３…乗りかご
４、５…ケーブル
６…エレベータ制御装置
２１−１〜２１−３…乗場プレート
２２−１〜２２−３…乗場表示装置
２３−１ａ、２３−２ａ、２３−２ｂ、２３−３ｂ…乗場呼びボタン
３１…かご内呼びボタン
３２…かご内表示装置
３３…かご内スイッチボックス
３４…点検表示スイッチ
６１…かご内操作情報取得部
６２…乗場呼び登録部
６３…運転制御部
６４…表示制御部
【図１】
2015044650.tif 000003
【図２】
2015044650.tif 000004
【図３】
2015044650.tif 000005
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
エレベータが設置された建物内の各階床の乗場ボタンおよび乗場表示装置に接続されたエレベータ制御装置において、
前記乗場ボタンのいずれかが操作されると、当該乗場ボタンの操作階情報を含む乗場呼びを登録する乗場呼び登録部と、
前記エレベータの乗りかごに設置された点検表示スイッチが操作されたことを検知すると、前記乗場呼び登録部に既に登録されている乗場呼びの操作階の乗場表示装置には、通常運転時からの前記乗りかごの現在位置情報および運転方向情報の表示を継続させるとともに、前記乗場呼びの操作階以外の階の乗場表示装置には「点検中」のテキスト文字を表示させるように切り替え、前記乗りかごが前記乗場呼びの操作階に着床し戸開したことを検知すると、当該操作階の乗場表示装置においても「点検中」のテキスト文字を表示させるように切り替える表示制御部と
を備えることを特徴とするエレベータ制御装置。
【手続補正２】
【補正対象書類名】明細書
【補正対象項目名】０００７
【補正方法】変更
【補正の内容】
【０００７】
上記目的を達成するための実施形態によれば、建物内の各階床に設置された乗場ボタンおよび乗場表示装置に接続されたエレベータ制御装置は、乗場呼び登録部と表示制御部とを備える。乗場呼び登録部は、乗場ボタンのいずれかが操作されると、当該操作が行われた階床情報を含む乗場呼びを登録する。表示制御部は、エレベータの乗りかごに設置された点検表示スイッチが操作されたことを検知すると、乗場呼び登録部に既に登録されている乗場呼びの操作階の乗場表示装置には、通常運転時からの乗りかごの現在位置情報および運転方向情報の表示を継続させ、乗場呼びの操作階以外の階の乗場表示装置には、「点検中」のテキスト文字を表示させるように切り替え、乗りかごが乗場呼びの操作階に着床し戸開したことを検知すると、当該操作階の乗場表示装置においても「点検中」のテキスト文字を表示させるように切り替える。